(57)【要約】  【課題】  光の取出し効率を向上することのできる面発光素子を提供する。  【解決手段】  ガラス基板２上に形成されるとともに電圧の印加または電流の注入により発光する発光層５と、屈折率の異なる第１、第２媒質３１、３２を配列した２次元回折格子３０とを備えた面発光素子１において、２次元回折格子３０は、ＩＵＣ記号がｐ１、ｐｍ、ｐｇ、ｃｍのいずれかで表わされた回転対称性を有さない平面群から成る。【選択図】      図２
2006128011.tif 000002
【特許請求の範囲】
【請求項１】
基板上に形成されるとともに電圧の印加もしくは電流の注入により発光する発光層と、屈折率の異なる第１、第２媒質を２次元的に配列した２次元回折格子とを備えた面発光素子において、前記２次元回折格子は、回転対称性がないことを特徴とする面発光素子。
【請求項２】
基板上に形成されるとともに電圧の印加もしくは電流の注入により発光する発光層と、屈折率の異なる第１、第２媒質を２次元的に配列した２次元回折格子とを備えた面発光素子において、前記２次元回折格子の周期構造がｐ１、ｐｍ、ｐｇ、ｃｍのいずれかの平面群から成ることを特徴とする面発光素子。
【請求項３】
前記２次元回折格子のピッチを０．１μｍ〜４μｍにしたことを特徴とする請求項１または請求項２に記載の面発光素子。
【請求項４】
前記２次元回折格子は前記基板を第１媒質とする正方格子から成り、前記基板に設けられた断面形状が三角形の孔に第２媒質を充填したことを特徴とする請求項１〜請求項３のいずれかに記載の面発光素子。
【請求項５】
第１、第２媒質の一方がガラスから成るとともに、他方が空気または透明電極から成ることを特徴とする請求項１〜請求項４のいずれかに記載の面発光素子。
【請求項６】
第１、第２媒質の一方が透明電極から成るとともに、他方が空気または発光層を構成する材料から成ることを特徴とする請求項１〜請求項４のいずれかに記載の面発光素子。
【発明の詳細な説明】
【技術分野】
【０００１】
本発明は、発光層を有する有機ＥＬ素子、無機ＥＬ素子等の面発光素子に関する。
【背景技術】
【０００２】
従来各種の面発光素子が提案されている。例えば、有機ＥＬ素子や無機ＥＬ素子等のエレクトロルミネッセンスを利用する面発光素子は、ガラス基板に形成されたＩＴＯ等から成る透明電極上に電圧の印加により発光する発光層が形成される。発光層上にはアルミニウム等から成る背面電極が形成される。
【０００３】
発光層は有機化合物等から成り、透明電極から注入された正孔と背面電極から注入された電子が再結合して発光する。発光層で発光した光は透明電極及びガラス基板を透過してガラス基板の出射面から出射される。また、一部の光は背面電極で反射して透明電極に到達し、出射面から出射される。
【０００４】
この面発光素子は、発光層と透明電極との界面、透明電極とガラス基板との界面、及び出射面で入射角が臨界角以下の光が全反射して導波する。このため、出射面から出射される光が少なく、光の取出し効率が低い問題があった。特に有機ＥＬ素子は、寿命等の観点から光取出し効率の一層の向上が求められている。光取出し効率の向上は他の面発光素子（例えば、ＬＥＤも一種の面発光素子である）にも求められる共通の課題である。
【０００５】
上記問題を解決するために、特許文献１には２次元回折格子を有した面発光素子が開示されている。この面発光素子は、透明電極とガラス基板との境界に２次元回折格子が設けられる。発光層で発光した光は２次元回折格子で回折し、ガラス基板の出射面に到達する光の入射角を臨界角よりも大きく可変する。これにより、透明電極とガラス基板との界面及び出射面で全反射する光を低減して光の取出し効率を向上することができる。
【特許文献１】特開平１１−２８３７５１号公報（第５頁−第８頁、第７図）
【発明の開示】
【発明が解決しようとする課題】
【０００６】
２次元回折格子は一般に図１８や図１９に示すように構成される。図１８に示す２次元回折格子３０は第１媒質中３１に断面円形の第２媒質３２が２次元配列された正方格子から成っている。図１９に示す２次元回折格子３０は第１媒質中３１に断面円形の第２媒質３２が２次元配列された六方格子から成っている。
【０００７】
これらの２次元回折格子３０に対して、光は様々な分布を示すが、波長が図１８の正方格子のピッチと一致する光であれば垂直方向への回折効率が高くなる。このような光は、例えば、２次元屈折率周期分布上に分布する光の電界成分だけを取り出して図示した場合に、図２０や図２１に示すような分布となる波長の光である。図２０、図２１において、円弧状の矢印が電界成分を示している。
【０００８】
これらの図において、２次元回折格子３０の中心部Ａでは、回折により光が垂直方向に曲げられても、電界が互いに打ち消しあうので、光の強度は弱められる。一方、２次元回折格子３０の周辺部Ｂでは電界が互いに打ち消しあうことができないため矢印Ｃに示すように光を取り出すことができる。
【０００９】
これにより、回折によって取り出された光の電界分布は例えば図２２、図２３に示すようになる。ベクトルは電界の向き及び大きさを示し、図２２、図２３はそれぞれ図２０、図２１の場合を示している。従って、２次元回折格子３０の周辺部Ｂの光は多く取り出されるが、中心部Ａの光を多く取り出すことができないため光の取り出し効率を充分向上させることができない問題があった。
【００１０】
本発明は、光の取出し効率をより向上できる面発光素子を提供することを目的とする。
【課題を解決するための手段】
【００１１】
上記目的を達成するために本発明は、基板上に形成されるとともに電圧の印加もしくは電流の注入により発光する発光層と、屈折率の異なる第１、第２媒質を２次元的に配列した２次元回折格子とを備えた面発光素子において、前記２次元回折格子は、回転対称性がないことを特徴としている。
【００１２】
この構成によると、第１、第２媒質を周期的に２次元配列して２次元回折格子が構成される。２次元回折格子は回転対称性がない。発光層で発光した光は２次元回折格子で回折して面発光素子から出射される。
【００１３】
また本発明は、基板上に形成されるとともに電圧の印加もしくは電流の注入により発光する発光層と、屈折率の異なる第１、第２媒質を２次元的に配列した２次元回折格子とを備えた面発光素子において、前記２次元回折格子の周期構造がｐ１、ｐｍ、ｐｇ、ｃｍのいずれかの平面群から成ることを特徴としている。
【００１４】
この構成によると、第１、第２媒質を周期的に２次元配列して２次元回折格子が構成される。２次元回折格子はｐ１、ｐｍ、ｐｇ、ｃｍのいずれかのＩＵＣ記号で表わされる平面群から成り、回転対称性を有していない。発光層で発光した光は２次元回折格子で回折して面発光素子から出射される。
【００１５】
また本発明は、上記構成の面発光素子において、前記２次元回折格子のピッチを０．１μｍ〜４μｍにしたことを特徴としている。
【００１６】
また本発明は、上記構成の面発光素子において、前記２次元回折格子は前記基板を第１媒質とする正方格子から成り、前記基板に設けられた断面形状が三角形の孔に第２媒質を充填したことを特徴としている。この構成によると、基板から成る第１媒質中に第２媒質が配列される。孔に充填される第２媒質が空気から成ってもよい。
【００１７】
また本発明は、上記構成の面発光素子において、第１、第２媒質の一方がガラスから成るとともに、他方が空気または透明電極から成ることを特徴としている。この構成によると、面発光素子は、ガラスから成る第１媒質中に空気またはＩＴＯ等の透明電極から成る第２媒質を配列した２次元回折格子を有する。また、面発光素子は、空気または透明電極から成る第１媒質中にガラスから成る第２媒質を配列した２次元回折格子を有する。
【００１８】
また本発明は、上記構成の面発光素子において、第１、第２媒質の一方が透明電極から成るとともに、他方が空気または発光層を構成する材料から成ることを特徴としている。この構成によると、面発光素子は、透明電極から成る第１媒質中に空気または発光層を構成する有機化合物等から成る第２媒質を配列した２次元回折格子を有する。また、面発光素子は、空気または発光層を構成する有機化合物等から成る第１媒質中に透明電極から成る第２媒質を配列した２次元回折格子を有する。
【発明の効果】
【００１９】
本発明によると、２次元回折格子は、回転対称性がないので、２次元回折格子に垂直な光を多く取り出すことができ、光の取出し効率をより向上することができる。
【００２０】
また本発明によると、２次元回折格子の周期構造がｐ１、ｐｍ、ｐｇ、ｃｍのいずれかの平面群から成るので、２次元回折格子に垂直な光を多く取り出すことができ、光の取出し効率をより向上することができる。
【００２１】
また本発明によると、２次元回折格子のピッチを０．１μｍ〜４μｍにしたので、所定方向に光を回折する２次元回折格子を容易に実現することができる。
【００２２】
また本発明によると、２次元回折格子は基板を第１媒質とする正方格子から成り、基板に設けられた断面形状が三角形の孔に第２媒質を充填したので、光の取出し効率を向上する２次元回折格子を容易に実現することができる。
【００２３】
また本発明によると、第１、第２媒質の一方がガラスから成るとともに、他方が空気または透明電極から成るので、２次元回折格子を容易に形成することができる。
【００２４】
また本発明によると、第１、第２媒質の一方が透明電極から成るとともに、他方が空気または発光層を構成する材料から成るので、２次元回折格子を容易に形成することができる。
【発明を実施するための最良の形態】
【００２５】
以下に本発明の実施形態を図面を参照して説明する。図１は一実施形態の面発光素子を示す側面図である。面発光素子１は透明基板であるガラス基板２上に回折層３、透明電極４、発光層５、背面電極６が順に設けられている。透明電極４はＩＴＯやＩＺＯ等の透明導電性材料から成っている。尚、ここではガラス基板を用いているが、透明基板として例えば透明樹脂等の他の材料から成る基板を用いてもよい。
【００２６】
発光層５は有機化合物の発光材料から成っている。これにより、面発光素子１は有機ＥＬ素子を構成する。以下、有機ＥＬ素子の場合について説明するが、これに限らず各種の面発光型の発光素子であってもよく、例えば、無機ＥＬ素子やＬＥＤであってもよい。発光層５は機能分離された複数の有機物層を積層して構成されていてもよいし、発光層５と各電極との間に電荷注入層、電荷輸送層、バッファ層等の他の機能層を設けてもよい。また、図では所謂ボトムエミッションタイプの有機ＥＬ素子を示したが、トップエミッションタイプの有機ＥＬ素子であってもよい。
【００２７】
背面電極６はアルミニウム等の光を反射する材料から成っている。透明電極４と背面電極６間に電圧を印加することにより、透明電極４から注入された正孔と背面電極６から注入された電子が再結合して発光層５が発光する。
【００２８】
回折層３は屈折率の異なる媒質が周期的に２次元配列された２次元回折格子から成っている。図２、図３は回折層３の２次元回折格子３０を示す平面図及び側面断面図である。２次元回折格子３０はガラス基板２に所定ピッチＴで断面形状が二等辺三角形の孔２ｂをフォトリソ法によるマスクパターンの形成及びドライエッチング等の方法で形成されている。
【００２９】
これにより、２次元回折格子３０は屈折率が１．５のガラス基板２から成る第１媒質３１中に屈折率が１の空孔から成る第２媒質３２が配列された２次元周期構造を有した正方格子になっている。また、２次元回折格子３０は、国際結晶学連合（International Union of Crystallography（IUCr）)で決められたＩＵＣ記号で表わされるｐｍの平面群に形成される。これにより、２次元回折格子３０は回転対称性がなく、互いに一致する鏡映軸Ｒ及びすべり鏡映軸Ｓを有している。また、２次元周期構造のピッチＴは０．１μｍ〜４μｍで形成されている。
【００３０】
上記構成の面発光素子１において、透明電極４と背面電極６との間に電圧が印加されるか電流が注入されると発光層５が発光する。発光した光は透明電極４を透過し、回折層３で出射面２ａ（図１参照）の方向に回折する。そして、ガラス基板２を透過して出射面２ａから出射される。また、一部の光は背面電極６で反射して透明電極４に到達し、同様に回折層３で回折して出射面２ａから出射される。
【００３１】
ピッチＴが光の波長と一致している場合には、例えば、２次元屈折率周期分布上に分布する光の電界成分だけを取り出して図示すると図４や図５に示すような分布を示す。図４、図５において、円弧状の矢印が電界成分を示している。図４において、２次元回折格子３０の周辺部Ｂでは電界が互いに打ち消しあうことができないため光を取り出すことができる。２次元回折格子３０の中心部Ａでは、図６に示すように、横方向はベクトルＣ１、Ｃ２で示す電界が互いに打ち消しあうので光の強度は弱められる。しかし、縦方向は構造が非対称であるためベクトルＣ３、Ｃ４のいずれかが打ち勝って光を取り出すことができる。図５の場合も同様である。
【００３２】
これにより、回折によって取り出された光の電界分布は例えば図７、図８に示すようになる。ベクトルは電界の向き及び大きさを示し、図７、図８はそれぞれ図４、図５の場合を示している。従って、前述の図１８、図１９に示す従来例の２次元回折格子（これらはそれぞれｐ４ｍ、ｐ６ｍの平面群から成っている。）よりも光の取出し効率を向上することができる。
【００３３】
２次元回折格子３０が回折格子として機能するには、屈折率の分布に何らかの繰り返し性（いわゆる並進対称性）を持たせる必要がある。本実施形態は、ＩＵＣ記号がｐｍの平面群から成るため、回折により垂直方向に取り出される光の電界分布の構造中心部での光の打ち消しあいを低減することができる。
【００３４】
同様に、２次元回折格子３０が並進対称性があり、回転対称性がない構造であれば構造中心部での光の打ち消しあいを低減することができる。即ち、ＩＵＣ記号がｐ１、ｐｍ、ｐｇ、ｃｍのいずれかの対称性を持った平面群から成る２次元回折格子３０とすることで、従来例よりも構造中心部での光の打ち消しあいを低減することができる。
【００３５】
本実施形態によると、２次元回折格子３０は回転対称性がないので、光の取出し効率を向上することができる。また、２次元回折格子３０のピッチＴを０．１μｍ〜４μｍにしたので、所定方向に光を回折する２次元回折格子３０を容易に実現することができる。
【００３６】
回折層３は透明電極４とガラス基板２との間に設けると製造が比較的容易であり且つ発光層５に近い位置に配置されるため高い効果が得られやすいが、出射面２ａに設けてもよい。また、第２媒質３２は第１媒質３１と屈折率が異なっていればよく、孔２ｂ（図２参照）にＩＴＯ等の透明導電性材料を充填してもよい。これにより、屈折率が１．５のガラスを第１媒質３１として、例えば屈折率が１．９のＩＴＯを第２媒質３２とする２次元回折格子３０が得られる。
【００３７】
また、図９に示すように、２次元回折格子３０はガラス基板２の一部を除去して柱状部２ｃを形成し、柱状部２ｃの周囲にガラス基板２と屈折率の異なる空気やＩＴＯ等の透明導電性材料を充填してもよい。この時、柱状部２ｃの周囲に充填される媒質が第１媒質３１となり、柱状部２ｃが第２媒質３２となる。
【００３８】
尚、回折層３を透明電極４と発光層５との界面に設けることも可能であり、この場合も光取出し効率を向上することができる。この場合、第１媒質３１がＩＴＯ等の透明導電性材料から成り、第２媒質３２が空気或いは発光層５を構成する材料から成る。
【００３９】
次に、図１０は第２実施形態の面発光素子１の２次元回折格子３０を示す平面図である。本実施形態の２次元回折格子３０は正方格子から成り、第２媒質３２は周期方向に一致する対称軸を有した断面凸型の空孔により形成されている。これにより、２次元回折格子３０はＩＵＣ記号がｐｍで表わされる平面群から成り、回転対称性がなく、互いに一致する鏡映軸Ｒ及びすべり鏡映軸Ｓを有している。本実施形態においても第１実施形態と同様に、構造中心部での光の打ち消しあいを低減して光の取出し効率を向上することができる。
【００４０】
図１１は第３実施形態の面発光素子１の２次元回折格子３０を示す平面図である。本実施形態の２次元回折格子３０は正方格子から成り、第２媒質３２は孔２ｂ、２ｂ’から成る断面円形の大小２つの空孔を周期方向に並んで配置して形成されている。これにより、２次元回折格子３０はＩＵＣ記号がｐｍで表わされる平面群から成り、回転対称性がなく、互いに一致する鏡映軸Ｒ及びすべり鏡映軸Ｓを有している。本実施形態においても第１実施形態と同様に、構造中心部での光の打ち消しあいを低減して光の取出し効率を向上することができる。
【００４１】
図１２は第４実施形態の面発光素子１の２次元回折格子３０を示す平面図である。本実施形態の２次元回折格子３０は単位格子Ｕが正方形の正方格子から成り、断面円形の孔２ｂから成る空孔が配列されている。また、隣々接した孔２ｂに対して周期方向に並んで小さい孔２ｂ’から成る空孔が配置され、孔２ｂ、２ｂ’により第２媒質３２が形成されている。これにより、２次元回折格子３０はＩＵＣ記号がｐｍで表わされる平面群から成り、回転対称性がなく、互いに一致する鏡映軸Ｒ及びすべり鏡映軸Ｓを有している。本実施形態においても第１実施形態と同様に、構造中心部での光の打ち消しあいを低減して光の取出し効率を向上することができる。
【００４２】
図１３は第５実施形態の面発光素子１の２次元回折格子３０を示す平面図である。本実施形態の２次元回折格子３０は正方格子から成り、第２媒質３２は断面半円形の空孔により形成されている。また、第２媒質３２に隣接して第１、第２媒質３１、３２と屈折率の異なる断面半円形の第３媒質３３が設けられている。
【００４３】
これにより、２次元回折格子３０はＩＵＣ記号がｐｍで表わされる平面群から成り、回転対称性がなく、互いに一致する鏡映軸Ｒ及びすべり鏡映軸Ｓを有している。本実施形態においても第１実施形態と同様に、構造中心部での光の打ち消しあいを低減して光の取出し効率を向上することができる。
【００４４】
図１４は第６実施形態の面発光素子１の２次元回折格子３０を示す平面図である。本実施形態の２次元回折格子３０は正方格子から成り、第２媒質３２が周期方向に対して対称軸が傾斜した断面二等辺三角形の空孔により形成されている。これにより、２次元回折格子３０はＩＵＣ記号がｃｍで表わされる平面群から成り、回転対称性がなく鏡映軸Ｒと鏡映軸Ｒに一致しないすべり鏡映軸Ｓとを有している。
【００４５】
構造中心部では鏡映軸Ｒに平行な方向は電界が互いに打ち消しあうので光の強度は弱められる。しかし、鏡映軸Ｒに垂直な方向は構造が非対称であるため上下のいずれかが打ち勝って光を取り出すことができる。従って、第１実施形態と同様に、構造中心部での光の打ち消しあいを低減して光の取出し効率を向上することができる。
【００４６】
図１５は第７実施形態の面発光素子１の２次元回折格子３０を示す平面図である。本実施形態の２次元回折格子３０は単位格子Ｕが正方形の正方格子から成り、第２媒質３２は９０゜回転した２つの向きで並ぶ断面Ｌ字型の空孔により形成されている。これにより、２次元回折格子３０はＩＵＣ記号がｐｇで表わされる平面群から成り、回転対称性及び鏡映軸がなくすべり鏡映軸Ｓを有している。
【００４７】
構造中心部ではすべり鏡映軸Ｓに平行な方向は電界が互いに打ち消しあうので光の強度は弱められる。しかし、すべり鏡映軸Ｓに垂直な方向は構造が非対称であるため各格子点ですべり鏡映軸Ｓに対して上下のいずれかが打ち勝って光を取り出すことができる。従って、第１実施形態と同様に、構造中心部での光の打ち消しあいを低減して光の取出し効率を向上することができる。
【００４８】
図１６は第８実施形態の面発光素子１の２次元回折格子３０を示す平面図である。本実施形態の２次元回折格子３０は正方格子から成り、第２媒質３２は断面が直角を挟む２辺の長さが異なる直角三角形の空孔により形成されている。これにより、２次元回折格子３０はＩＵＣ記号がｐ１で表わされる平面群から成り、回転対称性がなく、鏡映軸及びすべり鏡映軸がない。
【００４９】
本実施形態によると、構造中心部で図中、縦方向だけでなく、横方向の電界の打ち消しあいが第１〜第７実施形態に比して低減される。従って、構造中心部での光の打ち消しあいをより低減して光の取出し効率を更に向上することができる。
【００５０】
図１７は第９実施形態の面発光素子１の２次元回折格子３０を示す平面図である。本実施形態の２次元回折格子３０は正方格子から成り、第２媒質３２は断面が縦と横の長さが異なるＬ字型の空孔を配列して形成されている。これにより、２次元回折格子３０はＩＵＣ記号がｐ１で表わされる平面群から成り、回転対称性がなく、鏡映軸及びすべり鏡映軸がない。本実施形態においても第８実施形態と同様に、構造中心部での光の打ち消しあいを低減して光の取出し効率を向上することができる。
【産業上の利用可能性】
【００５１】
本発明は、有機ＥＬ素子、無機ＥＬ素子等の面発光素子に利用することができる。
【図面の簡単な説明】
【００５２】
【図１】本発明の第１実施形態の面発光素子を示す正面図
【図２】本発明の第１実施形態の面発光素子の２次元回折格子を示す平面図
【図３】本発明の第１実施形態の面発光素子の２次元回折格子を示す正面断面図
【図４】本発明の第１実施形態の面発光素子の２次元回折格子の２次元屈折率周期分布上に分布する光の電界成分だけを取り出した例を示す図
【図５】本発明の第１実施形態の面発光素子の２次元回折格子の２次元屈折率周期分布上に分布する光の電界成分だけを取り出した例を示す図
【図６】本発明の第１実施形態の面発光素子の２次元回折格子の電界の打ち消し合う状態を説明する図
【図７】本発明の第１実施形態の面発光素子の２次元回折格子の電界分布を示す図
【図８】本発明の第１実施形態の面発光素子の２次元回折格子の電界分布を示す図
【図９】本発明の第１実施形態の面発光素子の２次元回折格子他の構成を示す斜視図
【図１０】本発明の第２実施形態の面発光素子の２次元回折格子を示す平面図
【図１１】本発明の第３実施形態の面発光素子の２次元回折格子を示す平面図
【図１２】本発明の第４実施形態の面発光素子の２次元回折格子を示す平面図
【図１３】本発明の第５実施形態の面発光素子の２次元回折格子を示す平面図
【図１４】本発明の第６実施形態の面発光素子の２次元回折格子を示す平面図
【図１５】本発明の第７実施形態の面発光素子の２次元回折格子を示す平面図
【図１６】本発明の第８実施形態の面発光素子の２次元回折格子を示す平面図
【図１７】本発明の第９実施形態の面発光素子の２次元回折格子を示す平面図
【図１８】従来の面発光素子の２次元回折格子を示す平面図
【図１９】従来の面発光素子の２次元回折格子を示す平面図
【図２０】従来の面発光素子の２次元回折格子の２次元屈折率周期分布上に分布する光の電界成分だけを取り出した例を示す図
【図２１】従来の面発光素子の２次元回折格子の２次元屈折率周期分布上に分布する光の電界成分だけを取り出した例を示す図
【図２２】従来の面発光素子の２次元回折格子の電界分布を示す図
【図２３】従来の面発光素子の２次元回折格子の電界分布を示す図
【符号の説明】
【００５３】
１    面発光素子
２    ガラス基板
２ａ  出射面
２ｂ、２ｂ’  孔
２ｃ  柱状部
３    回折層
４    透明電極
５    発光層
６    背面電極
３０    ２次元回折格子
３１    第１媒質
３２    第２媒質
３３    第３媒質
Ｔ    ピッチ
Ｕ    単位格子
Ｒ    鏡映軸
Ｓ    すべり鏡映軸
【図１】
2006128011.tif 000003
【図２】
2006128011.tif 000004
【図３】
2006128011.tif 000005
【図４】
2006128011.tif 000006
【図５】
2006128011.tif 000007
【図６】
2006128011.tif 000008
【図７】
2006128011.tif 000009
【図８】
2006128011.tif 000010
【図９】
2006128011.tif 000011
【図１０】
2006128011.tif 000012
【図１１】
2006128011.tif 000013
【図１２】
2006128011.tif 000014
【図１３】
2006128011.tif 000015
【図１４】
2006128011.tif 000016
【図１５】
2006128011.tif 000017
【図１６】
2006128011.tif 000018
【図１７】
2006128011.tif 000019
【図１８】
2006128011.tif 000020
【図１９】
2006128011.tif 000021
【図２０】
2006128011.tif 000022
【図２１】
2006128011.tif 000023
【図２２】
2006128011.tif 000024
【図２３】
2006128011.tif 000025